(57)【要約】
【課題】  ゴルフボール打球時の打球音の響きを発生させると共に、フェース面から伝わる振動を吸収することができる防振構造を有するゴルフクラブヘッドを提供する。
【解決手段】  中空状のクラブヘッド１０の一部に収容部１２が形成されると共に、該収容部１２にカバー１１が溶接され、クラブヘッド１０に該収容部１０の中空部と連通する充填孔１２１，２２１を有する突出部１４１，２４１が設けられ、振動吸収・緩衝材１５が収容部１２に充填された後、封止部材１４２，２４２を充填孔に接着することによって充填孔を封止すると共に、余計な突出部１４１，２４１を削除した構成とした。
【選択図】  図１
0003101196.tif 000002
【実用新案登録請求の範囲】
【請求項１】
中空部を有するクラブヘッドの一部に収容部を設け、該収容部を覆うカバーを溶接すると共に、前記クラブヘッドには該収容部と連通する充填孔を形成した突出部を備え、前記充填孔を介して前記収容部に振動吸収・緩衝材を注入充填した後、封止部材により前記充填孔を封止し、且つ前記クラブヘッドの外表面より突出した前記突出部の一部を前記外表面と面一になるように削除するようにしたことを特徴とする防振構造を有するゴルフクラブヘッド。
【請求項２】
前記収容部がゴルフクラブヘッドの底面部から後側面部に沿って設けられ、且つ前記収容部の上面部にはゴルフクラブヘッド中空部と連通する通気孔が形成されると共に、前記充填孔を封止する封止部材には前記収容部内と連通する通気小孔が形成されていることを特徴とする請求項１に記載の防振構造を有するゴルフクラブヘッド。
【請求項３】
前記収容部がクラブヘッドの後側面部に設けられ、且つ前記収容部の後側面部にはゴルフクラブヘッド中空部と連通する通気孔が形成されると共に、前記充填孔を封止する封止部材には前記収容部内と連通する通気小孔が形成されていることを特徴とする請求項１に記載の防振構造を有するゴルフクラブヘッド。
【考案の詳細な説明】
【技術分野】
【０００１】
本考案は、特に、ゴルフボールの打球時の響きを発生できるようにすると共に、フェース面より伝導されるクラブヘッド或いはシャフトへの振動を緩衝吸収することができる防振構造を有するゴルフクラブヘッドに関するものである。
【背景技術】
【０００２】
従来のゴルフクラブヘッドは、ゴルフボールの打球時の打球音の響きを発生させるために、殆ど内部が中空状であるが、この中空状構造により、打球による振動も発生し、該振動がシャフトを介して使用者の手に伝わるので、使用者に不快感を与えてしまう。
前記問題点を解決するために、クラブヘッドの内部に振動吸収・緩衝材を充填することにより、打球の振動を緩衝させるゴルフクラブヘッドが提案されていた。
【考案の開示】
【考案が解決しようとする課題】
【０００３】
しかしながら、前記クラブヘッドの内部に振動吸収・緩衝材を備えた従来のゴルフクラブヘッドは、振動吸収・緩衝材を充填するため製造工程が複雑になると共に、コストが高くなってしまう。又、クラブヘッドの内部に振動吸収・緩衝材を充填することで、打球の素晴らしい響きが失われてしまっている。
【０００４】
そこで、案出されたのが本考案であって、ゴルフボールの打球時の打球音の響きが発生すると共に、振動を吸収・緩衝することができる防振構造を有するゴルフクラブヘッドを提供することを目的としている。
【課題を解決するための手段】
【０００５】
本願の請求項１に記載の防振構造を有するゴルフクラブヘッドは、中空部を有するクラブヘッドの一部に収容部を設け、該収容部を覆うカバーを溶接すると共に、前記クラブヘッドには該収容部と連通する充填孔を形成した突出部を備え、前記充填孔を介して前記収容部に振動吸収・緩衝材を注入充填した後、封止部材により前記充填孔を封止し、且つ前記クラブヘッドの外表面より突出した前記突出部の一部を前記外表面と面一になるように削除するようにしたことを特徴とする。
本願の請求項２の考案は、請求項１に記載の防振構造を有するゴルフクラブヘッドにおいて、前記収容部がゴルフクラブヘッドの底面部から後側面部に沿って設けられ、且つ前記収容部の上面部にはゴルフクラブヘッド中空部と連通する通気孔が形成されると共に、前記充填孔を封止する封止部材には前記収容部内と連通する通気小孔が形成されていることを特徴とする。
本願の請求項３の考案は、請求項１に記載の防振構造を有するゴルフクラブヘッドにおいて、前記収容部がクラブヘッドの後側面部に設けられ、且つ前記収容部の後側面部にはゴルフクラブヘッド中空部と連通する通気孔が形成されると共に、前記充填孔を封止する封止部材には前記収容部内と連通する通気小孔が形成されていることを特徴とする。
【考案の効果】
【０００６】
本考案は上記の課題を解決するものであり、中空部を有するクラブヘッドの一部に収容部を設け、該収容部を覆うカバーを溶接すると共に、前記クラブヘッドには該収容部と連通する充填孔を形成した突出部を備え、前記充填孔を介して前記収容部に振動吸収・緩衝材を充填した構成としたので、クラブヘッドのゴルフボール打球時におけるフェイス面より伝導する振動を吸収・緩衝できると共に、打球音の響きを発生させることも達成できる。
また、本考案の防振構造を有するゴルフクラブヘッドは構造が簡単であるので、製造工程を短縮できることで、作業性が良く低コスト製品を提供できる効果がある。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例１】
【０００８】
図１は本考案に係る防振構造を有するゴルフクラブヘッドの第１実施例を示す分解斜視図であり、図２は本考案に係る防振構造を有するゴルフクラブヘッドの第１実施例を示す分解断面図であり、図３は本考案に係る防振構造を有するゴルフクラブヘッドの第１実施例に吸収・緩衝材を充填する状態を示す断面図であり、図４は本考案に係る防振構造を有するゴルフクラブヘッドの第１実施例を示す完成状態の側面断面図であり、図５は本考案に係る防振構造を有するゴルフクラブヘッドの第１実施例を示す正面断面図である。
【０００９】
図１及び図２に示すように、本考案に係る防振構造を有するゴルフクラブヘッド１０は中空部が形成されており、このクラブヘッド１０の底面部には後側面部（フェイスの反対側）まで伸びる前記中空部と連通する通気孔１２１を有する凹状の収容部１２が形成されると共に、該収容部１２にはこれを覆うカバー１１が溶着等の手段により固着され、前記クラブヘッド１０の後側面部には該収容部１２と連通する振動吸収・緩衝材１５を注入充填する充填孔１４１を有する突出部１４が設けられている。
【００１０】
図３乃至図５に示すように、好適な重量と体積を有する吸収・緩衝材１５が突出部１４の充填孔１４１を通じて収容部１２内に充填されるが、この充填時に、前記収容部１２の内部における空気が前記通気孔１２１からゴルフクラブヘッド１０の中空部内に排出される。充填完了時には、前記充填孔１４１に封止部材１４２を螺合接着することによって、この充填孔１４１を封止させる。  
【００１１】
又、前記封止部材１４２には軸方向中心に通気小孔１４２１を形成してあるので、封止時の残留空気又は使用し過ぎによる接着剤が封止部材１４２の通気孔１４２１によって外部へ排出されるようになっている。
更に、前記接着剤が凝固した後で、前記クラブヘッドの外表面１０ａより突出した前記突出部１４の一部を、前記外表面１０ａと面一となるように研磨・切削等によって削除する。
【００１２】
ゴルフクラブヘッド１０をこのような構成とすることで、打球時における打球音の響きを発生させることができると共に、打球時のフェース面より伝わる振動を吸収することができる。
又、前記収容部１２、突出部１４、充填孔１４１とカバー１１は、使用需要に応じてクラブヘッド１０の異なる位置に設置されても良いことは勿論である。
【実施例２】
【００１３】
図６は本考案に係る防振構造を有するゴルフクラブヘッドの第２実施例を示す分解斜視図であり、図７は本考案に係る防振構造を有するゴルフクラブヘッドの第２実施例を示す分解断面図であり、図８は本考案に係る防振構造を有するゴルフクラブヘッドの第２実施例に吸収・緩衝材を充填する状態を示す断面図であり、図９は本考案に係る防振構造を有するゴルフクラブヘッドの第２実施例を示す側面断面図である。
【００１４】
図６及び図７に示すように、本考案に係る防振構造を有するゴルフクラブヘッド１０の第２実施例においては、クラブヘッド１０の後側面部に通気孔２２１を有する収容部２２が形成されると共に、該収容部２２にカバー２１が溶接され、収容部２２の上方におけるクラブヘッド１０の上面部に該収容部２２と連通する充填孔２４１を有する突出部２４が設けられた構成であるる。
【００１５】
図８及び図９に示すように、好適な重量と体積を有する吸収・緩衝材１５が突出部２４の充填孔２４１を通じて収容部２２に充填され、充填時、収容部２２の内部における空気が通気孔２２１から排出され、充填後、封止部材２４２を充填孔２４１に接着することによって充填孔２４１を封止させる。
【００１６】
又、封止時の残留空気や使用し過ぎた接着剤は封止部材２４２の通気孔２４２１によって外部へ排出され、接着剤が凝固した後で、クラブヘッド１０の上部外面１０ａより突出している余分な前記突出部２４を研磨・切削等の手段により削除することにより、打球時の打球音の響きを発生させることができると共に、振動吸収が可能なクラブヘッド１０を提供できる。
又、前記収容部２２、突出部２４、充填孔２４１とカバー２１は使用需要に応じてクラブヘッド１０の異なる位置に設置されても良い。
【００１７】
本考案は上記の構成を有するので、内部中空状のクラブヘッドの一部に収容部が形成されると共に、収容部を覆うカバーが溶接され、該収容部に吸収・緩衝材を充填することにより、打球時の振動を吸収できると共に、打球音の響きを発生することも達成でき、又、本考案の防振構造を有するゴルフクラブヘッドは構造が簡単であるので、製造工程とコストを下げることができる。
【図面の簡単な説明】
【００１８】
【図１】本考案に係る防振構造を有するゴルフクラブヘッドの第１実施例を示す分解斜視図である。
【図２】本考案に係る防振構造を有するゴルフクラブヘッドの第１実施例を示す分解断面図である。
【図３】本考案に係る防振構造を有するゴルフクラブヘッドの第１実施例に吸収・緩衝材を充填する状態を示す断面図である。
【図４】本考案に係る防振構造を有するゴルフクラブヘッドの第１実施例を示す側面断面図である。
【図５】本考案に係る防振構造を有するゴルフクラブヘッドの第１実施例を示す正面断面図である。
【図６】本考案に係る防振構造を有するゴルフクラブヘッドの第２実施例を示す分解斜視図である。
【図７】本考案に係る防振構造を有するゴルフクラブヘッドの第２実施例を示す分解断面図である。
【図８】本考案に係る防振構造を有するゴルフクラブヘッドの第２実施例に吸収・緩衝材を充填する状態を示す断面図である。
【図９】本考案に係る防振構造を有するゴルフクラブヘッドの第２実施例を示す側面断面図である。
【符号の説明】
【００１９】
１０        クラブヘッド
１１        カバー
１２        収容部
１２１      通気孔
１４        突出部
１４１      充填孔
１４２      封止部材
１４２１    通気孔
１５        振動吸収・緩衝材
２１        カバー
２２        収容部
２２１      通気孔
２４        突出部
２４１      充填孔
２４２      封止部材
２４２１    通気孔
【図１】
0003101196.tif 000003
【図２】
0003101196.tif 000004
【図３】
0003101196.tif 000005
【図４】
0003101196.tif 000006
【図５】
0003101196.tif 000007
【図６】
0003101196.tif 000008
【図７】
0003101196.tif 000009
【図８】
0003101196.tif 000010
【図９】
0003101196.tif 000011